(57)【特許請求の範囲】
【請求項１】
１本の電話回線に通信規格が異なる少なくとも２台以上のデータ通信装置が接続され、これらデータ通信装置のうち、発信先の機器と通信規格が一致するデータ通信装置が、発信先の機器と通信できるデータ通信システムにおいて、
前記各データ通信装置に、電話回線をオンフック／オフフック状態にするオンフック／オフフック手段と、データ通信装置間でコマンド等の信号の送受信を行うコマンド信号送受信手段とを設けると共に、前記複数のデータ通信装置のうち、あらかじめ定めた第１のデータ通信装置に、さらに電話回線からの着信を検出する着信検出手段を設け、
前記第１のデータ通信装置の前記着信検出手段が電話回線からの着信を検出すると、前記オンフック／オフフック手段により電話回線をオフフック状態にした後、前記第１のデータ通信装置は、自身の通信規格が発信先の機器の通信規格と同じかどうか調べ、通信規格が一致する場合はデータ通信を行い、通信規格が異なる場合は、「通信不可」のコマンド信号を前記コマンド信号送受信手段により出力して、一定時間経過後に前記オンフック／オフフック手段によりオンフック状態にし、
また、第２のデータ通信装置が、前記第１のデータ通信装置より出力された「通信不可」のコマンドを前記コマンド信号送受信手段により受信すると、前記オンフック／オフフック手段により電話回線をオフフック状態にした後、この第２のデータ通信装置は、自身の通信規格が発信先の機器の通信規格と同じかどうか調べ、通信規格が一致する場合はデータ通信を行い、通信規格が異なる場合は、「通信不可」のコマンド信号を前記コマンド信号送受信手段により出力して、一定時間経過後に前記オンフック／オフフック手段によりオンフック状態にし、
さらに、前記データ通信装置が３台以上ある場合には、以下同様の処理を、前記データ通信装置が順番に繰り返すことにより、１本の電話回線に接続された複数のデータ通信装置のうち、発信先の機器とデータ通信可能なものを自動的に選択して、通信を行うようにしたことを特徴とする自動データ通信方法。
【発明の詳細な説明】
【０００１】
【発明の属する技術分野】
本発明は、音声と同時に画像等のデジタルデータを伝送する通信システムに適用して好適な自動データ通信方法に係り、特に、１つの電話回線に対し通信規格の異なる通信装置が複数接続されているシステムにおいて、発信側の通信装置と接続可能な通信装置を自動的に判別して、画像および音声データをデータ通信できるようにした技術に関する。
【０００２】
【従来の技術】
１本の電話回線に、電話回線を利用する複数の機器を接続した場合において、着信時にいずれの機器への着信かを判定する手法としては、特開昭６４−１７５４９号公報に開示された技術が挙げられる。この先願公報に記載された技術は、特定の機器が一定時間内にオフフックしなかった場合には、一旦回線をオンフック状態にした後、通話したい機器を指定する制御信号受信待ち状態に遷移し、その後制御信号を受け取ると、制御信号によって指定された機器をオフフック状態にするというものである。
【０００３】
【発明が解決しようとする課題】
上記した従来技術においては、複数の機器が接続されている電話回線に電話をかけた場合には、電話をかけた側の操作者が、通信したい相手の機器を指定する操作を行なう等の、通信する機器の指定操作を行わなければならず、操作が面倒であるという問題があった。
【０００４】
本発明は上記の点に鑑みなされたもので、その目的とするところは、１本の電話回線に接続されている複数の機器が、電話をかけてきた相手と通信可能であるかどうかを自動的に判別して、通信可能な機器が自動的に着信動作するようにさせることにある。
【０００５】
【課題を解決するための手段】
本発明は上記した目的を達成するため、１本の電話回線に通信規格が異なる少なくとも２台以上のデータ通信装置が接続され、これらデータ通信装置のうち、発信先の機器と通信規格が一致するデータ通信装置が、発信先の機器と通信できるデータ通信システムにおいて、
前記各データ通信装置に、電話回線をオンフック／オフフック状態にするオンフック／オフフック手段と、データ通信装置間でコマンド等の信号の送受信を行うコマンド信号送受信手段とを設けると共に、前記複数のデータ通信装置のうち、あらかじめ定めた第１のデータ通信装置に、さらに電話回線からの着信を検出する着信検出手段を設け、
前記第１のデータ通信装置の前記着信検出手段が電話回線からの着信を検出すると、前記オンフック／オフフック手段により電話回線をオフフック状態にした後、前記第１のデータ通信装置は、自身の通信規格が発信先の機器の通信規格と同じかどうか調べ、通信規格が一致する場合はデータ通信を行い、通信規格が異なる場合は、「通信不可」のコマンド信号を前記コマンド信号送受信手段により出力して、一定時間経過後に前記オンフック／オフフック手段によりオンフック状態にし、
また、第２のデータ通信装置が、前記第１のデータ通信装置より出力された「通信不可」のコマンドを前記コマンド信号送受信手段により受信すると、前記オンフック／オフフック手段により電話回線をオフフック状態にした後、この第２のデータ通信装置は、自身の通信規格が発信先の機器の通信規格と同じかどうか調べ、通信規格が一致する場合はデータ通信を行い、通信規格が異なる場合は、「通信不可」のコマンド信号を前記コマンド信号送受信手段により出力して、一定時間経過後に前記オンフック／オフフック手段によりオンフック状態にし、
さらに、前記データ通信装置が３台以上ある場合には、以下同様の処理を、前記データ通信装置が順番に繰り返すことにより、１本の電話回線に接続された複数のデータ通信装置のうち、発信先の機器とデータ通信可能なものを自動的に選択して、通信を行うようにされる。
【０００６】
【発明の実施の形態】
以下、本発明の実施の形態を、図面を用いて説明する。
図１は、本発明の一実施形態に係る自動データ通信システムの構成を示す図である。
【０００７】
図１において、１０１は第１画像送信装置で、ある特定の通信規格で画像、音声のデータを送信する。１０２は第２画像送信装置で、第１画像送信装置１０１と異なる通信規格で画像、音声のデータを送信する。１０３は第１画像受信装置で、ダイヤル操作等の指示操作を行うためのボタン１１３を有し、第１画像送信装置１０１と同じ通信規格で、第１画像送信装置１０１から送られてきた画像、音声データを受信する。１０４は第２画像受信装置で、ダイヤル操作等の指示操作を行うためのボタン１１３を有し、第２画像送信装置１０２と同じ通信規格で、第２画像送信装置１０２から送られてきた画像、音声データを受信する。
【０００８】
１０５は、第１画像送信装置１０１と第２画像送信装置１０２とを１つの電話回線に接続するための分配器、１０６は電話交換機、１０７はマイク、１０８はビデオカメラ、１０９はスピーカである。１１０は信号線で、第１画像送信装置１０１と第２画像送信装置１０２間でコマンド等の信号を送受信するため、第１画像送信装置１０１の信号出力端子２２０（図２）と第２画像送信装置１０２の信号入力端子３１８（図３）とを接続している。１１１はモニタ、１１２は送受話器である。
【０００９】
図２は、図１で示した第１画像送信装置１０１の構成の１例を示すブロックである。
【００１０】
図２において、２０１は全体の動作を制御するＣＰＵ、２０２はデータをやり取りするシステムバス、２０３は送受信する映像や音声などのデータを記憶するためのメモリである。２０４は画像用Ａ／Ｄ変換器で、映像入力端子２１５を介して接続しているビデオカメラ１０８からのアナログの映像信号を、デジタル信号に変換する。２０５は画像処理部で、デジタル信号に変換された画像データの圧縮処理を行なう。２０６は通信処理部で、モデムを用いたデジタル通信の確立・切断や送受信するデータのやり取りを管理する。２０７はモデム（以降、便宜上第１モデムという）で、デジタル通信時に第１画像送信装置１０１内で扱っているデジタルデータを一般の公衆回線で送受信するために、アナログ信号にある特定の通信規格で変復調する。
【００１１】
２０８は音声用Ａ／Ｄ変換器で、音声入力端子２１６を介して接続しているマイク１０７からのアナログの音声信号を、デジタル信号に変換する。２０９は音声処理部で、デジタル信号に変換された音声データの圧縮・伸長処理を行なう。２１０は音声用Ｄ／Ａ変換器で、デジタル信号に変換されている音声データをアナログの音声信号に変換した音声信号を、音声出力端子２１７を介して接続しているスピーカ１０９に出力する。
【００１２】
２１１は時間を計測するためのタイマ、２１２は信号処理部で、信号入力端子２１９からの入力信号を検出したり、信号出力端子２２０へ出力信号を送出したりする。２１３は、交換機１０６からの着信信号を検出する着信信号検出処理部、２１４はオンフック／オフフック処理部で、回線を開／閉して回線をオンフック／オフフック状態にする。２１８は電話回線と接続するための回線接続端子である。
【００１３】
図３は、図１で示した第２画像送信装置１０２の構成の１例を示すブロックである。
【００１４】
図３において、３０１は全体の動作を制御するＣＰＵ、３０２はデータをやり取りするシステムバス、３０３は送受信する映像や音声などのデータを記憶するためのメモリである。３０４は画像用Ａ／Ｄ変換器で、映像入力端子３１４を介して接続しているビデオカメラ１０８からのアナログの映像信号を、デジタル信号に変換する。３０５は画像処理部で、デジタル信号に変換された画像データの圧縮処理を行なう。３０６は通信処理部で、モデムを用いたデジタル通信の確立・切断や送受信するデータのやり取りを管理する。３０７はモデム（以降、便宜上第２モデムという）で、デジタル通信時に第２画像送信装置１０２内で扱っているデジタルデータを一般の公衆回線で送受信するために、アナログ信号に第１モデム２０７と異なる通信規格で変復調する。
【００１５】
３０８は音声用Ａ／Ｄ変換器で、音声入力端子３１５を介して接続しているマイク１０７からのアナログの音声信号を、デジタル信号に変換する。３０９は音声処理部で、デジタル信号に変換された音声データの圧縮・伸長処理を行なう。３１０は音声用Ｄ／Ａ変換器で、デジタル信号に変換されている音声データをアナログの音声信号に変換した音声信号を、音声出力端子３１６を介してスピーカ１０９に出力する。
【００１６】
３１１は時間を計測するためのタイマ、３１２は信号制御部で、信号入力端子３１８からの入力信号を検出したり、信号出力端子３１９へ出力信号を送出したりする。３１３はオンフック／オフフック処理部で、回線を開／閉して回線をオンフック／オフフック状態にする。３１７は電話回線と接続するための回線接続端子である。
【００１７】
図４は、図１で示した第１画像受信装置１０３または第２画像受信装置１０４の構成を示すブロックである。
【００１８】
図４において、４０１は全体の動作を制御するＣＰＵ、４０２はデータをやり取りするシステムバス、４０３は送受信する映像や音声などのデータを記憶するためのメモリである。４０４は画像処理部で、デジタル信号に変換された画像データの伸長処理を行なう。４０５は画像用Ｄ／Ａ変換器で、デジタル信号に変換されている画像データをＮＴＳＣなどのアナログの映像信号に変換して、映像出力端子４１５を介して接続しているモニタ１１１に出力する。
【００１９】
４０６は通信処理部で、モデムを用いたデジタル通信の確立・切断や送受信するデータのやり取りを管理する。４０７はモデムで、デジタル通信時に画像受信装置内で扱っているデジタルデータを一般の公衆回線で送受信するためにアナログ信号に変復調する。このモデム４０７は、第１画像受信装置１０３の場合は前記した第１モデムを、第２画像受信装置１０４の場合は前記した第２モデムを、それぞれ使用する。
【００２０】
４０８は音声用Ａ／Ｄ変換器で、送受話器１１２からのアナログの音声信号を、デジタル信号に変換する。４０９は音声処理部で、デジタル信号に変換された音声データの圧縮・伸長処理を行なう。４１０は音声用Ｄ／Ａ変換器で、デジタル信号に変換されている音声データをアナログの音声信号に変換した音声信号を、送受話器１１２へ出力する。
【００２１】
４１１はボタン入力を検出する入力処理部、４１２は時間を計測するためのタイマ、４１３はオンフック／オフフック処理部で、回線を開／閉して回線をオンフック／オフフック状態にする。４１４はダイヤル信号を送出するダイヤル処理部、４１６は電話回線と接続するための回線接続端子である。
【００２２】
次に、図１に示したシステム構成における、第１画像送信装置１０１の着信時の動作を、図５の処理フローを用いて詳述する。
【００２３】
第１画像受信装置１０３や第２画像受信装置１０４から電話がかかってくると、第１画像送信装置１０１は、着信信号検出処理部２１３で着信信号を検出し（ステップ５０１）、これによって、オンフック／オフフック処理部２１４を制御して、回線をオフフック状態にし（ステップ５０２）、また、通信処理部２０６を制御して、第１モデム２０７よりモデム接続開始信号を送出する（ステップ５０３）。さらに、一定時間だけ応答信号受信状態にするために、タイマ２１１を起動する（ステップ５０４）。
【００２４】
ここで、発信先が第１画像受信装置１０３である場合には、第１画像受信装置１０３の第１モデムが上記のモデム接続開始信号を受信でき、第１画像受信装置１０３は、モデム接続開始信号を受信すると、第１画像送信装置１０１に対して応答信号を送出する。その結果、第１画像送信装置１０１の第１モデム２０７は、第１画像受信装置１０３からの応答信号を受信する（ステップ５０５でＹＥＳ）。
【００２５】
上記の応答信号の受信後は、デジタル通信状態になり、マイク１０７から入ってきたアナログの音声信号をデジタル信号に変換して送出したり、ビデオカメラ１０８からのアナログ映像信号をデジタル信号に変換して送出すると、データの受信側である第１画像受信装置１０３では、受信した音声、映像のデジタルデータをそれぞれアナログ信号に変換して、送受話器１１２、モニタ１１１に出力することにより、第１画像送信装置１０１と第１画像受信装置１０３との間で、映像、音声通信が行えることになる（ステップ５０７）。
【００２６】
一方、発信先が第２画像受信装置１０４である場合には、第２画像受信装置１０４の第２モデムが、前記したステップ５０３で第１画像送信装置１０１の第１モデム２０７が送出した前記のモデム接続開始信号を受信できないため（ステップ５０５でＮＯ）、第２画像受信装置１０４は応答信号を送出しない。その結果、第１画像送信装置１０１は、一定時間経過するまで応答信号待ち状態になり（ステップ５１０）、応答信号を受信できないまま一定時間が経過すると（ステップ５０６でＹＥＳ）、接続不可と判定する。
【００２７】
そして、第１画像送信装置１０１は接続不可と判定すると、信号処理部２１２を制御して、信号出力端子２２０から「通信不可」のコマンド信号を、第２画像送信装置１０２へ送出し（ステップ５０８）、タイマ２１１により一定時間（第２画像送信装置１０２が信号を受信し、オフフックするまでの時間）経過後、オンフック／オフフック処理部２１４を制御して、オンフック状態にする（ステップ５０９）。
【００２８】
第２画像送信装置１０２は、信号入力端子３１８からの「通信不可」のコマンド信号を信号処理部３１２で受信すると、オンフック／オフフック処理部３１３を制御してオフフック状態にし、タイマ３１１により一定時間（第１画像送信装置１０１がオンフックするまでの時間）待った後、第１画像受信装置１０１と同様に、第２モデム３０７からモデム接続開始信号を送出する。これによって、第２画像受信装置１０４の第２モデムから、第２画像送信装置１０２に対して応答信号が返ってくるので、その信号を受信すると、第２画像送信装置１０２は通信を開始する。
【００２９】
このようにして、第１画像受信装置１０３からの発信に対しては、第１画像送信装置１０１が受信して通信し、第２画像受信装置１０４からの発信に対しては、第２画像送信装置１０２が受信して通信するということが、自動的に行える。
【００３０】
また、さらに第１モデム２０７および第２モデム３０７とは異なる通信規格の第３モデムを内蔵した第３画像送信装置が接続され、その第３モデムと接続可能な装置から発信された場合には、第２画像送信装置１０２の第２モデム３０７の接続開始信号に対し、第３画像送信装置からは応答信号が返ってこないため、第１画像送信装置１０１と同様に、第２画像送信装置１０２は「通信不可」のコマンド信号を出力し、第３画像送信装置が、上述した第２画像送信装置１０２と同様な処理を行うことにより、第３画像送信装置が通信可能となる。
【００３１】
このように、３台以上接続されている場合も、第１画像送信装置１０１が着信後、第１画像送信装置１０１から順番に各画像送信装置が上述した処理を行うことで、発信先の画像受信装置と同じ通信規格の画像送信装置が自動的に着信して、通信可能となる。
【００３２】
上述したような処理方式を、１本の電話回線に接続された第１画像送信装置１０１および第２画像送信装置１０２からなるシステムに組み込むことにより、通常の電話の発信操作と同様に、第１画像受信装置１０３でフックボタンを押してオフフック状態にした後、ボタン１１３を押してダイヤルすると、相手側に交換機１０６より着信信号が送出され、その結果、第１画像送信装置１０１がその着信信号を検出して、自動的にオフフック後、第１画像送信装置１０１からの映像が第１画像受信装置１０３に送られるようになる。また、第２画像送信装置１０４から同様に発信すると、一旦第１画像送信装置１０１が着信後、第２画像送信装置１０２が着信し、第２画像送信装置１０２からの映像が第２画像受信装置１０４に送られるようになる。このようにして、１本の電話回線に複数の相異なる通信規格で通信を行う画像送信装置が接続されていても、発信先の画像受信装置と同じ通信規格を持つ画像送信装置が自動的に着信して、映像通信が行える。
【００３３】
なお、前記した実施形態では、画像通信装置のモデムの通信規格が異なる場合の例で説明したが、画像通信ができる必要性もなく、モデムの通信規格が異なるだけでなく、発信先と通信可能か否かが自動的に判断できる手段を保持していれば、本発明を適用できる。
【００３４】
【発明の効果】
以上のように本発明によれば、１本の電話回線に相異なる通信規格で通信を行うデータ通信装置が複数接続されているシステムにおいて、電話がかかってきた際、発信先の機器と通信可能な装置を自動的に判別して着信し、データ通信を行えるようにすることができる。
【図面の簡単な説明】
【図１】本発明の一実施形態に係る自動データ通信システムの構成の１例を示す説明図である。
【図２】本発明の一実施形態における、第１画像送信装置の構成の１例を示すブロック図である。
【図３】本発明の一実施形態における、第２画像送信装置の構成の１例を示すブロック図である。
【図４】本発明の一実施形態における、第１画像受信装置または第２画像受信装置の構成の１例を示すブロック図である。
【図５】本発明の一実施形態における、第１画像送信装置の受信処理手順を示した処理フロー図である。
【符号の説明】
１０１  第１画像送信装置
１０２  第２画像送信装置
１０３  第１画像受信装置
１０４  第２画像受信装置
１０５  分配器
１０６  電話交換機
１０７  マイク
１０８  ビデオカメラ
１０９  スピーカ
１１０  信号線
１１１  モニタ
１１２  送受話器
１１３  ボタン
２０１  ＣＰＵ
２０２  システムバス
２０３  メモリ
２０４  画像用Ａ／Ｄ変換器
２０５  画像処理部
２０６  通信処理部
２０７  第１モデム
２０８  音声用Ａ／Ｄ変換器
２０９  音声処理部
２１０  音声用Ｄ／Ａ変換器
２１１  タイマ
２１２  信号処理部
２１３  着信信号検出処理部
２１４  オンフック／オフフック処理部
２１５  映像入力端子
２１６  音声入力端子
２１７  音声出力端子
２１８  回線接続端子
２１９  信号入力端子
２２０  信号出力端子
３０１  ＣＰＵ
３０２  システムバス
３０３  メモリ
３０４  画像用Ａ／Ｄ変換器
３０５  画像処理部
３０６  通信処理部
３０７  第２モデム
３０８  音声用Ａ／Ｄ変換器
３０９  音声処理部
３１０  音声用Ｄ／Ａ変換器
３１１  タイマ
３１２  信号処理部
３１３  オンフック／オフフック処理部
３１４  映像入力端子
３１５  音声入力端子
３１６  音声出力端子
３１７  回線接続端子
３１８  信号入力端子
３１９  信号出力端子
４０１  ＣＰＵ
４０２  システムバス
４０３  メモリ
４０４  画像処理部
４０５  画像用Ｄ／Ａ変換器
４０６  通信処理部
４０７  モデム
４０８  音声用Ａ／Ｄ変換器
４０９  音声処理部
４１０  音声用Ｄ／Ａ変換器
４１１  入力制御部
４１２  タイマ
４１３  オンフック／オフフック処理部
４１４  ダイヤル処理部
４１５  映像出力端子
４１６  回線接続端子
【図１】
0003777030.tif 000002
【図２】
0003777030.tif 000003
【図３】
0003777030.tif 000004
【図４】
0003777030.tif 000005
【図５】
0003777030.tif 000006